(57)【特許請求の範囲】
【請求項１】
複数の取付孔が縦横に所定ピッチで形成された支持台および前記支持台上の複数箇所に配設された一種類の対象物支持具を有すると共に、
前記各対象物支持具は、前記取付孔に取り付けられる第１締結具で前記支持台の上面に固定される取付板部および該取付板部に垂直に設けられた起立板部を備えるＬ字状の第１支持具と、前記起立板部に基準面である第１側面が第２締結具で固定され且つ前記基準面とは反対側の第２側面側に支持対象物を支持させる支持部が上端部に形成された略直方体状の第２支持具と、互いに反対側において前記第２支持具の前記第１，第２側面に隣接する第３，第４側面のいずれか一方に第３締結具で固定される第３支持具を備える組立治具であって、
前記支持部は複数種類の前記支持対象物を支持可能に前記第２側面側及び下方に向けて階段状に形成された複数の支持段部を備えることを特徴とする組立治具。
【請求項２】
請求項１に記載の組立治具において、前記第２支持具は前記第１支持具の起立板部に上下位置調整可能に前記第２締結具で固定されていることを特徴とする組立治具。
【請求項３】
請求項１又は２に記載の組立治具において、複数の前記支持台が並設されていると共に、前記複数の支持台は隣接部が蟻及び蟻溝で水平方向に相対移動不能に且つ分離可能に連結されて一つの支持ベースを形成していることを特徴とする組立治具。
【発明の詳細な説明】
【技術分野】
【０００１】
この発明は、部品取付用の支持対象物を安定支持させる組立治具に関するものである。
【背景技術】
【０００２】
従来より、支持対象物であるプリント基板上に複数の実装部品を組み付けたり、支持対象物であるキャビネットに対して印刷物を貼り付けたり印刷を行ったりする場合、上記プリント基板やキャビネット等の支持対象物を組立治具に支持さた状態で行うことが知られている。
【０００３】
このように複数種類の支持対象物がある場合、一種類の支持対象物に対してそれを支持するための一種類の治具をそれぞれ作製していた。しかも、各種の支持対象物とそれに対する専用の治具とを一対一の関係で管理しておく必要があり、その管理が煩雑である。また、この管理を怠った場合には、支持対象物の支持作業を行う際に、この支持対象物に対して適用すべき治具を、複数の治具の中から見つけ出さねばならないといった極めて煩雑な作業を強いられることになってしまい、製品の組立作業時間の長期化を招き、生産性の低下を引き起こしてしまう可能性もある。
【０００４】
このような問題を解消するため、複数種類の支持対象物を一つのベース台上で支持するために、支持対象物に設けた支持穴に嵌着する支持突起が設けられた複数の第１支持具と、支持対象物を支持させる段部が設けられた複数の第２支持具を一つのベース台上に備えさせることにより、複数種類の支持対象物に対応可能な組立治具が考えられている（例えば、特許文献１参照）。
【非特許文献１】特開２００２−３４６８５２号公報
【発明の開示】
【発明が解決しようとする課題】
【０００５】
しかしながら、従来の組立治具では、別々の第１，第２支持具をベース台に多数取り付けることで、複数種類の支持対象物を支持するようにしていたため、ベース台に取り付けられる支持具の種類が多くなり好ましくなかった。
【０００６】
また、従来の組立治具において、第１，第２支持具で複数種類の支持対象物の一つを支持させる場合、第１支持具に支持対象物の支持穴を嵌合させると共に、この支持対象物を第２支持具の段部で支持させることが考えられる。このばいいにおいて、支持対象物に部品を組み付ける組付作業時に上方から支持対象物側に強い力が加わると、第１，第２支持具の上下のガタツキが生じ、組み立て作業を継続する上で不安定になり、組立作業性や組立後の製品の品質に影響を与えるものであった。
【０００７】
そこで、この発明は、一種類の対象物支持具で複数種類の支持対象物を選択的に支持可能な組立治具を提供することを目的とするものである。
【課題を解決するための手段】
【０００８】
この目的を達成するため、請求項１の発明は、複数の取付孔が縦横に所定ピッチで形成された支持台および前記支持台上の複数箇所に配設された一種類の対象物支持具を有すると共に、前記各対象物支持具は、前記取付孔に取り付けられる第１締結具で前記支持台の上面に固定される取付板部および該取付板部に垂直に設けられた起立板部を備えるＬ字状の第１支持具と、前記起立板部に基準面である第１側面が第２締結具で固定され且つ前記基準面とは反対側の第２側面側に支持対象物を支持させる支持部が上端部に形成された略直方体状の第２支持具と、互いに反対側において前記第２支持具の前記第１，第２側面に隣接する第３，第４側面のいずれか一方に第３締結具で固定される第３支持具を備える組立治具であって、前記支持部は複数種類の前記支持対象物を支持可能に前記第２側面側及び下方に向けて階段状に形成された複数の支持段部を備える組立治具としたことを特徴とする。
【０００９】
また、請求項２の発明は、請求項１に記載の組立治具において、前記第２支持具は前記第１支持具の起立板部に上下位置調整可能に前記第２締結具で固定されていることを特徴とする。
【００１０】
更に、請求項３の発明は、請求項１又は２に記載の組立治具において、複数の前記支持台が並設されていると共に、前記複数の支持台は隣接部が蟻及び蟻溝で水平方向に相対移動不能に且つ分離可能に連結されて一つの支持ベースを形成していることを特徴とする。
【発明の効果】
【００１１】
請求項１の発明によれば、一種類の対象物支持具で複数種類の支持対象物を選択的に支持できる。
【００１２】
また、請求項２の発明によれば、支持対象物の支持部の高さ等に応じて、第２支持具の高さを容易に調整できる。
【００１３】
更に、請求項３の発明によれば、支持対象物の水平方向の大きさに応じた支持ベースを簡易に構築できる。
【発明を実施するための最良の形態】
【００１４】
以下、この発明の実施の形態を図面に基づいて説明する。
[構成]
図１に示したこの発明に係る組立治具は、略長方形状の基準の支持台（支持ベース）１と、支持台１の上面に載置された一種類の対象物支持具２を有する。
＜支持台１＞
この支持台１には、支持台１の周縁部に沿って複数（多数）の取付孔３が形成されている。この取付孔３は、所定ピッチ（等ピッチ）で縦横に形成されていると共に、支持台１を貫通して上下面に開口している。尚、取付孔３はネジ孔になっている。また、取付孔３は、周縁部に沿って３列に形成されているが、支持台１の全体に所定ピッチ（等ピッチ）で縦横に設けられていても良い。
【００１５】
また、支持台１は４つの辺１ａ，１ｂ，１ｃ，１ｄを有する。そして、辺１ａには蟻接手の蟻状の連結突部４，４が所定間隔で形成され、辺１ｂには蟻接手の鳩尾状の連結突部５，５が所定間隔で形成されている。また、残りの辺１ｃには蟻接手の蟻溝状の連結凹部６，６が所定間隔で形成され、辺１ｄには蟻接手の鳩尾状の連結凹部７，７が所定間隔で形成されている。
【００１６】
しかも、連結突部４，４の間隔と連結凹部６，６の間隔は同じに形成され、連結突部５，５の間隔と連結凹部７，７の間隔は同じに形成されている。この連結突部４と連結凹部６は支持台１の第１連結手段を構成し、連結突部５と連結凹部７は支持台１の第２連結手段を構成している。
【００１７】
ここで、図２に示したように、連結突部４，５の基部間隔をＬ１とし、連結凹部６，７の開口端の間隔をＬ２とし、連結突部４，５の先端部間隔をＬ３とし、連結凹部６，７の内端間隔をＬ４とし、連結突部４，５の突出量をＬ５とし、連結凹部６，７の内端までの切欠量を間隔をＬ６とすると、Ｌ１〜Ｌ６は、
Ｌ１＜Ｌ２
Ｌ３＜Ｌ４
Ｌ５＜Ｌ６
となっている。このようなＬ１〜Ｌ６の寸法関係は、複数の支持台１を連結して支持ベースを形成する際、図２の如く隣接させる２つの支持台１，１の一方の連結突部４（５）が他方の連結凹部６（７）に遊び無く且つ着脱可能に嵌合可能な寸法に形成されている。即ち、連結突部４，４の形状及び大きさは連結凹部６，６に遊び無く且つ着脱可能に嵌合可能な形状及び大きさに形成され、連結突部５，５の形状及び大きさは連結凹部７，７に遊び無く且つ着脱可能に嵌合可能な形状及び大きさに形成されている。
＜対象物支持具２＞
また、図１において４つ（複数）の対象物支持具２は、支持台１上のコーナ部近傍に配設されている。各対象物支持具２は、図１，図３〜図５に示したように、Ｌ字状の第１支持具８と、略直方体状の第２支持具９と、長方形状の第３支持具１０を有する。また、対象物支持具２は、図４，図５に示したように、第２支持具９の下面側を支持台１上に支持させる支持ネジ（支持部材）１１を有する。
（第１支持具８）
第１支持具８は、図１，図３，図４に示したように、支持台１の水平な上面に載置された取付板部（水平板部）８ａと、取付板部８ａに垂直に連設された起立板部（垂直板部）８ｂからＬ字状に形成されている。そして、図３，図４，図６（ａ）に示したように、取付板部８ａには長手方向に延びる長孔８ａ１が形成され、起立板部８ｂには上下方向に延びる長孔８ｂ１が形成されている。
【００１８】
この第１支持具８は、図３，図４の如く長孔８ａ１に固定ネジ（第１締結具）Ｂ１を挿通し、この固定ネジＢ１を図４の如く支持台１の複数の取付孔３の一つに螺着すると共に、固定ネジＢ１で取付板部８ａを支持台１に対して締め付けることにより、支持台１上に固定されている。尚、図４において、Ｗは固定ネジＢ１の頭部と取付板部８ａとの間及び固定ネジＢ２の頭部と起立板部８ｂとの間に介装されたワッシャである。
（第２支持具９）
また、第２支持具９は、図３，図７（ａ）に示したように、基準面である第１側面９ａと、この第１側面９ａとは反対側の第２側面９ｂと、互いに反対側において前記第１，第２側面９ａ，９ｂに隣接する第３，第４側面９ｃ，９ｄを有する。しかも、第２支持具９の上端部には、第１側面（基準面）９ａとは反対側の第２側面９ｂ側に支持対象物を支持させる対象物支持部１２が形成されている。
【００１９】
この対象物支持部１２は、複数種類の支持対象物を支持可能に第２側面９ｂ側及び下方に向けて階段状に形成された複数の支持段部１２ａ，１２ｂ，１２ｃを備えている。また、支持段部１２ａ，１２ｂは上下に延びる段差面１２ａｂで連設され、支持段部１２ｂ，１２ｃは上下に延びる段差面１２ｂｃで連設されている。尚、この実施例では、対象物支持部１２が３つの支持段部１２ａ，１２ｂ，１２ｃを有する構成としているが、４つ以上の支持段部を有していても良い。
【００２０】
また、第１側面９ａには、図７（ｂ）に示したようにネジ穴１３が形成されている。また、図７（ａ），図７（ｂ）に示したように、第２側面９ｂにはネジ穴１４が形成され、第３側面９ｃにはネジ穴１５が形成されている。更に、第４側面９ｄには、図５に示したようにネジ穴１６が形成されている。また、第２支持具９の下部には、図４，図５，図７に示したように、底面９ｅに開口するネジ穴１７が形成されている。
【００２１】
そして、第２支持具９は、図３，図４の如く長孔８ｂ１に固定ネジ（第２締結具）Ｂ２を挿通し、この固定ネジＢ２を図４の如く第２支持具９のネジ穴１３に螺着すると共に、固定ネジＢ２で起立板部８ｂを第２支持具９の第１側面９ａに対して締め付けることにより、起立板部８ｂに固定されている。
【００２２】
また、支持ネジ１１をネジ穴１７に螺着すると共に、支持ネジ１１の頭部を支持台１上に当接させることにより、第２支持部材９の下部が支持台１上に支持されている。尚、固定ネジＢ２を緩めて、支持ネジ１１を正転又は逆転操作することにより、第２支持部材９を上下に移動させて、第２支持部材９の上下方向の位置（高さ）を調整することができる。
（第３支持具１０）
この第３支持具１０は、図８（ａ），図８（ｂ）に示したように、長方形状の支持板本体１０ａに長手方向に延びる長孔１０ｂを設けたものである。
【００２３】
そして、図１の支持台１のコーナＣ１，Ｃ３では第３支持具１０が第２支持具９の第３側面９ｃに取り付けられ、支持台１のコーナＣ２，Ｃ４では第３支持具１０が第２支持具９の第４側面９ｄに取り付けられる。
【００２４】
ここで、第３支持具１０を第２支持具９の第３側面９ｃに取り付けるには、図４の如く長孔１０ｂに固定ネジ（第２締結具）Ｂ３を挿通し、この固定ネジＢ３を第２支持具９のネジ穴１５に螺着すると共に、固定ネジＢ３で第３支持具１０を第２支持具９の第３側面９ａに対して締め付ける。
【００２５】
また、第３支持具１０を第２支持具９の第４側面９ｄに取り付けるには、第３支持具１０の長孔１０ｂに固定ネジ（第２締結具）Ｂ３を挿通し、この固定ネジＢ３を第２支持具９のネジ穴１６に螺着すると共に、固定ネジＢ３で第３支持具１０を第２支持具９の第３側面９ａに対して締め付ける。
[作用]
次に、上述した組立治具で、例えば図９に示したような板状の支持対象物１８を支持させる場合について説明する。
【００２６】
この図９では、支持台１の左右の上部に対象物支持具２，２が配設されている。この各対象物支持具２は図４，図５に示した支持ネジ１１を有するが、図９では図４，図５の支持ネジ１１の図示を省略している。
【００２７】
また、図９において、支持対象物１８は、左側の上板部１８ａと、右側の下板部１８ｂと、この板部１８ａ，１８ｂを連設している段差部１８ｃを有する。そして、上板部１８ａの左側端部１８ａ１には端縁から上方に延びるフランジ１８ａ２が形成されている。また、下板部１８ｂの右側端部１８ｂ１には、上方に延びる段差部１８ｂ２が設けられていると共に、この段差部１８ｂ２の上端から側方に水平に延びる水平段部１８ｂ３が設けられている。
【００２８】
このような支持対象物１８を図９の左右の対象物支持具２，２で支持させるには、各対象物支持具２の固定ネジＢ１を支持台１から取り外しておいて、対象物支持具２，２の第２支持具９，９間の間隔を支持対象物１８の長さに大まかに合わせて、支持対象物１８の左右両端部を左右の第２支持具９，９上に配設する。この際、左右の対象物支持具２，２は、左右の対象物支持具２，２の第３支持具１０，１０が支持対象物１８の側縁に当接可能な位置に配設する。
【００２９】
そして、上板部１８ａの左側端部１８ａ１を左側の第２支持具９の支持段部１２ｂ上に載置すると共に、上板部１８ａのフランジ１８ａ２を左側の第２支持具９の段差面１２ａｂに当接させる。一方、下板部１８ｂの右側端部１８ｂ１を右側の第２支持具９の支持段部１２ｃ上に載置すると共に、下板部１８ｂの段差部１８ｂ２を右側の第２支持具９の段差面１２ｂｃに当接させる。
【００３０】
この状態で、左右の対象物支持具２，２の固定ネジＢ２，Ｂ２を緩めておいて、図４，図５に示した支持ネジ１１の軸線周りへの回転操作で調整することにより、左右の対象物支持具２，２を上下に移動操作して、左右の対象物支持具２，２の高さを調整し、上板部１８ａの左側端部１８ａ１が左側の第２支持具９の支持段部１２ｂに面で当接すると共に、下板部１８ｂの右側端部１８ｂ１が右側の第２支持具９の支持段部１２ｃ上に面で当接するようにする。この状態では、下板部１８ｂの水平段部１８ｂ３が右側の第２支持具９の支持段部１２ｂ上に面で当接する。
【００３１】
この後、左右の対象物支持具２，２の固定ネジＢ２，Ｂ２を締め付けて、左右の対象物支持具２，２の第２支持具９，９を第１支持具８，８の起立板部８ｂ，８ｂにそれぞれ固定する。
【００３２】
次に、左右の対象物支持具２，２同士を相対接近する方向に押して、上板部１８ａのフランジ１８ａ２を左側の第２支持具９の段差面１２ａｂに押し付けると共に、下板部１８ｂの段差部１８ｂ２を右側の第２支持具９の段差面１２ｂｃに押し付ける。そして、この状態で、左右の固定ネジＢ１，Ｂ１を左右の第１支持具８，８の取付板部８ａ，８ａの長孔８ａ１，８ａ１に挿通した後、左右の長孔８ａ１，８ａ１に臨む取付孔３，３の一つに螺着して締め付け、取付板部８ａ，８ａを支持台１上に固定する。
【００３３】
この際、この対象物支持具２，２の第１支持具８，８の一方を先ず支持台１上に固定することにより、対象物支持具２，２の第１支持具８，８の一方を先ず支持台１上に固定する。次に、左右の対象物支持具２の他方で支持対象物１８を一方の対象物支持具２側に押し付けて、左右の対象物支持具２，２間で支持対象物１８を挟持させた状態にする。この状態で左右の対象物支持具２，２の他方の第１支持具８を支持台１上に固定することにより、支持対象物１８を左右の対象物支持具２，２の第２支持具９，９間で挟持させる。この状態では、図９，図１０の如く下板部１８ｂの水平段部１８ｂ３が右側の第２支持具９の段差面１２ａｂに軽く圧接させられる。
【００３４】
更に、第３支持具１０を支持対象物１８の側面に当接させて、固定ネジＢ３を締め付けることにより、図９中、紙面に垂直な方向への支持対象物１８の移動を規制させる。尚、図１のように対象物支持具２が支持台１の４箇所に配設され、上側の左右の対象物支持具２，２の第２支持具９，９同士及び下側の左右の対象物支持具２，２同士が第２支持具９，９同士が対向している場合、第２支持具９，９間に図９の如く支持対象物１８を支持させると、図１では図９の支持対象物１８が紙面に沿う上下方向に移動してしまうので、この移動を各支持具９に取り付けた第３支持具１０で規制する。
【００３５】
このような状態では、支持対象物１８が対象物支持具２，２間に支持固定されるので、この支持固定された支持対象物１８に必要な部品を組み付ける。例えば、支持対象物がプリント基板である場合には、プリント基板上に複数の実装部品を組み付ける。
（その他１）
尚、上述した実施例では、支持対象物１８の水平段部１８ｂ３を右側の第２支持具９の支持段部１２ｂ上に面で当接させているが、この水平段部１８ｂ３が図１１のように無い場合もある。この図１１では、図１０の段差部１８ｂ２に代えてフランジ１８ｂ２′が設けられている。この図９では、フランジ１８ｂ２′が段差面１２ｂｃに当接するようにしている。
【００３６】
また、図１２に示したように、支持対象物１８′の縁部の中間部を第２支持具９の支持段部１２ｂで支持させても良い。尚、図１２では、図示の便宜上、図３，図４に示した固定ネジＢ１，Ｂ２の図示を省略している。
【００３７】
また、図１３は、支持対象物１８′の角部を第２支持具９の支持段部１２ｂ上に配設した例を示したものである。この図１３では、支持対象物１８′の角部が第２支持具９の段差面１２ａｂと、第３支持具１０で水平方向に移動するのが規制されている。尚、図１３では、図示の便宜上、図３，図４に示した固定ネジＢ１，Ｂ２の図示を省略している。
（その他２）
また、図１４のごとく上述した支持台１を複数連結して使用することもできる。図１４では、４つの支持台１を縦横に配列して、隣接する２つの支持台１，１の一方の連結突部４を他方の連結凹部６に遊び無く且つ着脱可能に嵌合させると共に、隣接する２つの支持台１，１の一方の連結突部５を他方の連結凹部７に遊び無く且つ着脱可能に嵌合させることで、一つの支持ベース１′を構成している。そして、対象物支持具２は各支持台１に２個それぞれ配設している。
【００３８】
このような構成の組立治具では、１つの支持台１を有する組立治具よりも大きな支持対象物を支持させることができる。
（その他３）
また、以上説明した実施例では、連結突部４，５を蟻接手の鳩尾状突部に形成し、連結凹部６，７を蟻接手の鳩尾状凹部（鳩尾状切欠）に形成したが、必ずしもこれに限定されるものではない。例えば、連結突部４，５をＴ字状突部に形成し、連結凹部６，７をＴ字状の凹部又はＴ字状の切欠に形成してもよい。要は、複数の支持台１を隣接させて連結する際、一方の支持台１の連結突部４（５）が他方の隣接する支持台１の連結凹部６（７）に対して上方から遊び無く着脱可能に嵌合できればよい。
【００３９】
以上説明したように、この発明の実施の形態の組立治具は、複数の取付孔３が縦横に所定ピッチで形成された支持台１および前記支持台１上の複数箇所に配設された一種類の対象物支持具２を有する。しかも、前記各対象物支持具２は、前記取付孔３に取り付けられる第１締結具（固定ネジＢ１）で前記支持台１の上面に固定される取付板部８ａおよび該取付板部８ａに垂直に設けられた起立板部８ｂを備えるＬ字状の第１支持具８と、前記起立板部８ｂに基準面である第１側面９ａが第２締結具（固定ネジＢ２）で固定され且つ前記基準面とは反対側の第２側面９ｂ側に支持対象物１８を支持させる支持部（対象物支持部１２）が上端部に形成された略直方体状の第２支持具９と、互いに反対側において前記第２支持具９の前記第１，第２側面９ａ，９ｂに隣接する第３，第４側面９ｃ，９ｄのいずれか一方に第３締結具（固定ネジＢ３）で固定される第３支持具１０を備えている。また、前記支持部（対象物支持部１２）は複数種類の前記支持対象物（１８）を支持可能に前記第２側面側９ｂ及び下方に向けて階段状に形成された複数の支持段部１２ａ〜１２ｃを備えている。
【００４０】
この構成によれば、一種類の対象物支持具２で複数種類の支持対象物を選択的に支持できる。
【００４１】
また、この発明の実施の形態の組立治具において、前記第２支持具９は前記第１支持具８の起立板部８ｂに上下位置調整可能に前記第２締結具（固定ネジＢ２）で固定されている。
【００４２】
この構成によれば、支持対象物の支持部の高さ等に応じて、第２支持具９の高さを容易に調整できる。
【００４３】
更に、この発明の実施の形態の組立治具において、複数の前記支持台１が並設されていると共に、前記複数の支持台１は隣接部が連結手段（連結突部４，５と連結凹部６，７）で水平方向に相対移動不能に且つ分離可能に連結されて一つの支持ベース１′を形成している。
【００４４】
この構成によれば、支持対象物の水平方向の大きさに応じた支持ベース１′を簡易に構築できる。
【図面の簡単な説明】
【００４５】
【図１】この発明に係る組立治具の平面図である。
【図２】図１の組立治具の支持台を複数接合する場合の連結突部と連結凹部との寸法関係を示す拡大説明図である。
【図３】図１に示した矢印Ａ１の部分における対象物支持具の斜視図である。
【図４】図３の対象物支持具の一部を破断して示した説明図である。
【図５】図４の対象物支持具の右側面図である。
【図６】（ａ）は図３の第１支持具の斜視図、（ｂ）は（ａ）の第１支持具の側面図である。
【図７】（ａ）は図３の第２支持具の斜視図、（ｂ）は（ａ）の第２支持具の側面図である。
【図８】（ａ）は図３の第３支持具の斜視図、（ｂ）は（ａ）の第３支持具の正面図である。
【図９】図１の組立治具に支持対象物を支持させたときの説明図である。
【図１０】図９の支持対象物の下板部と対象物支持具との関係を示す部分拡大斜視図である。
【図１１】図１０の支持対象物の変形例を示す説明図である。
【図１２】図１０の支持対象物の他の支持状体を示す説明図である。
【図１３】図１０の支持対象物の他の支持状体を示す説明図である。
【図１４】図１の支持台を複数連結して形成した支持ベースと複数の対象物支持具との配置関係を示す平面図である。
【符号の説明】
【００４６】
１・・・支持台
１′・・・支持ベース
２・・・対象物支持具
３・・・取付孔
４，５・・・連結突部（連結手段）
６，７・・・連結凹部（連結手段）
８・・・第１支持具
８ａ・・・取付板部
８ｂ・・・起立板部
９・・・第２支持具
９ａ・・・第１側面（基準面）
９ｂ・・・第２側面
９ｃ・・・第３側面
９ｄ・・・第４側面
１０・・・第３支持具
１２・・・対象物支持部（支持部）
１２ａ〜１２ｃ・・・支持段部
Ｂ１・・・固定ネジ（第１締結具）
Ｂ２・・・固定ネジ（第２締結具）
Ｂ３・・・固定ネジ（第３締結具）
【図１】
0004745321.tif 000002
【図２】
0004745321.tif 000003
【図３】
0004745321.tif 000004
【図４】
0004745321.tif 000005
【図５】
0004745321.tif 000006
【図６】
0004745321.tif 000007
【図７】
0004745321.tif 000008
【図８】
0004745321.tif 000009
【図９】
0004745321.tif 000010
【図１０】
0004745321.tif 000011
【図１１】
0004745321.tif 000012
【図１２】
0004745321.tif 000013
【図１３】
0004745321.tif 000014
【図１４】
0004745321.tif 000015